(57)【要約】  フタリル基の置換度が、０．０２〜０．２５であり、フタリル基の中和度が、０．５以下であり、アセチル基の置換度が、０．０２〜０．４０であり、フタリル基とアセチル基との総置換度が、０．５０以下である、セルロースエーテルアセテートフタレートが提供される。２℃で少なくとも２．０重量パーセントの水への溶解度を有する、セルロースエーテルアセテートフタレート。【特許請求の範囲】
【請求項１】
セルロースエーテルアセテートフタレートであって、
フタリル基の置換度が、０．０２〜０．２５であり、フタリル基の中和度が、０．５以下であり、
アセチル基の置換度が、０．０２〜０．４０であり、
フタリル基とアセチル基との総置換度が、０．５０以下である、セルロースエーテルアセテートフタレート。
【請求項２】
２℃で少なくとも２．０重量パーセントの水への溶解度を有する、請求項１に記載のセルロースエーテルアセテートフタレート。
【請求項３】
フタリル基の置換度が、０．０４〜０．１５である、請求項１または２に記載のセルロースエーテルアセテートフタレート。
【請求項４】
アセチル基の置換度が、０．０７〜０．２５である、請求項１〜３のいずれか一項に記載のセルロースエーテルアセテートフタレート。
【請求項５】
ヒドロキシプロピルメチルセルロースアセテートフタレートである、請求項１〜４のいずれか一項に記載のセルロースエーテルアセテートフタレート。
【請求項６】
前記セルロースエーテルアセテートフタレートの少なくとも８５重量％が、２℃で２．５重量部のセルロースエーテルアセテートフタレートと９７．５重量部の水との混合物に可溶性である、請求項１〜５のいずれか一項に記載のセルロースエーテルアセテートフタレート。
【請求項７】
水性液体中に溶解した請求項１〜６のいずれか一項に記載の少なくとも１つのセルロースエーテルアセテートフタレートを含む、液体組成物。
【請求項８】
１５℃未満の温度を有する、請求項７に記載の液体組成物。
【請求項９】
請求項１〜６のいずれか一項に記載の少なくとも１つのセルロースエーテルアセテートフタレート及び有機希釈剤を含む、液体組成物。
【請求項１０】
請求項７〜９のいずれか一項に記載の液体組成物を剤形と接触させるステップを含む、剤形をコーティングするための方法。
【請求項１１】
請求項７〜９のいずれか一項に記載の液体組成物を浸漬ピンと接触させるステップを含む、カプセルシェルを製造するための方法。
【請求項１２】
前記コーティングが、請求項１〜６のいずれか一項に記載の少なくとも１つのセルロースエーテルアセテートフタレートを含む、コーティングされた剤形。
【請求項１３】
請求項１〜６のいずれか一項に記載の少なくとも１つのセルロースエーテルアセテートフタレートを含む、ポリマーカプセルシェル。
【請求項１４】
請求項１３に記載のカプセルシェルを含み、薬物もしくは栄養補助食品、またはそれらの組み合わせをさらに含む、カプセル。
【請求項１５】
請求項１〜６のいずれか一項に記載の少なくとも１つのセルロースエーテルアセテートフタレート中の少なくとも１つの活性成分の固体分散体。
【発明の詳細な説明】
【技術分野】
【０００１】
本発明は、新規のセルロースエーテルアセテートフタレート、及びカプセルシェルもしくは固体薬物分散体を製造するための、または剤形をコーティングするためのそれらの使用に関する。
【背景技術】
【０００２】
様々なエステル化セルロースエーテルは、ヒドロキシプロピルメチルセルロースフタレート（ＨＰＭＣＰ）、ヒドロキシプロピルメチルセルロースアセテートフタレート（ＨＰＭＣＡＰ）、またはヒドロキシプロピルメチルセルロースアセテートスクシネート（ＨＰＭＣＡＳ）などの医薬分野で有用である。国際特許出願第ＷＯ２０１４／１３７７７７号は、水性ＮａＯＨまたはアセトン中の低粘度のそのようなエステル化セルロースエーテルを開示している。
【０００３】
いくつかのエステル化セルロースエーテルは、医薬剤形用の腸溶性ポリマーとして知られている。腸溶性ポリマーは、胃の酸性環境での溶解に対して耐性のあるポリマーである。そのようなポリマーでコーティングされた剤形は、酸性環境における不活性化もしくは分解から薬物を保護する、または薬物による胃の刺激を防止する。
【０００４】
低溶解性薬物を含む固体非晶質分散体を形成するためにＨＰＭＣＡＰを使用することが示唆されている。多数の現在知られている薬物は、水への溶解度が低いので、剤形を調製するために複雑な技術が必要とされる。１つの既知の方法は、このような薬物を、ＨＰＭＣＡＰなどの薬学的に許容されるポリマーと一緒に有機溶媒中に溶解させ、溶液を噴霧乾燥させることを含む。ＨＰＭＣＡＰは、薬物の結晶性を低下させることによって、薬物の溶解に必要な活性化エネルギーを最小限に抑え、さらに薬物分子の周囲に親水性条件を確立するとによって、薬物自体の溶解度を改善して、そのバイオアベイラビリティ、すなわち、摂取時の個体によるその生体内への吸収を高めることを目的としている。
【０００５】
国際特許出願第ＷＯ２００６／０８２５１８号は、フタリル基の置換度が少なくとも０．０５、好ましくは少なくとも０．１０であり、アルカニル基の置換度が少なくとも０．３、好ましくは少なくとも０．４であるヒドロキシプロピルメチルセルロースアルカニルフタレートポリマーを開示している。０．０９〜０．２０のフタリル基の置換度及び０．６１〜０．９０のアセチル基の置換度を有するＨＰＭＣＡＰポリマーが例示される。ＨＰＭＣＡＰ及び薬物は、メタノールまたはアセトンに溶解され、噴霧乾燥されて、ＨＰＭＣＡＰ中の薬物の噴霧乾燥固体分散体を製造する。しかしながら、有機溶媒は、多くの場合、医薬または栄養用途には望ましくない。さらに、有機溶媒の取り扱いは、複雑さを増す。
【０００６】
Ｈ．Ｋｏｋｕｂｏらは、Ｃｈｅｍ．Ｐｈａｒｍ．  Ｂｕｌｌ．４５（８）１３５０−１３５３（１９９７），Ｖｏｌ．４５，Ｎｏ．８．において「Ｄｅｖｅｌｏｐｍｅｎｔ  ｏｆ  Ｃｅｌｌｕｌｏｓｅ  Ｄｅｒｉｖａｔｉｖｅｓ  ａｓ  Ｎｏｖｅｌ  Ｅｎｔｅｒｉｃ  Ｃｏａｔｉｎｇ  Ａｇｅｎｔｓ  Ｓｏｌｕｂｌｅ  ａｔ  ｐＨ３．５−４．５  ａｎｄ  Ｈｉｇｈｅｒ」を開示している。ヒドロキシプロピルメチルセルロース（ＨＰＭＣ）は、ｐＨ約４で溶解することができる酸保護のための新規の腸溶性コーティング剤を開発するためのベースポリマーとして選択された。ＨＰＭＣをトリメリット酸、フタル酸、マレイン酸、またはコハク酸で様々な置換度で修飾した。ヒドロキシプロピルメチルセルローストリメリテート（ＨＰＭＣＴ）、ヒドロキシプロピルメチルセルロースフタレート（ＨＰＭＣＰ）、ヒドロキシプロピルメチルセルロースアセテートマレエート（ＨＰＭＣＡＭ）、及びヒドロキシプロピルメチルセルロースアセテートスクシネート（ＨＰＭＣＡＳ）の中和度による水への溶解度を試験した。Ｈ．Ｋｏｋｕｂｏらの論文に開示されているように、解離していない形態のカルボキシル基を有する腸溶性コーティングポリマーは、水への溶解度が非常に低い。中和度は、脱プロトン化カルボキシル基とプロトン化カルボキシル基との合計に対する、脱プロトン化カルボキシル基の比を定義し、すなわち、中和度が低いほど、解離していない形態でより多くのカルボキシル基が存在する。滴定によってｐＨを上昇させると、カルボキシル基の中和度が増加し、ポリマーの水溶性が増加する。ＨＰＭＣ誘導体の溶解度は、カルボキシル基のタイプ及びそれらの置換度に依存するが、試験されたＨＰＭＣ誘導体はすべて、その中和度が０．３未満である場合、精製水に不溶性であった。ＨＰＭＣＰグレードＨＰ−５０の溶解度は、その中和度が０．８までは精製水に不溶性であった。残念なことに、十分な中和度を有して水溶性であるそのようなＨＰＭＣ誘導体から製造されたコーティングまたはカプセルは、胃における溶解に対して十分に耐性ではなく、酸性環境における不活性化もしくは分解から薬物を保護する、または薬物による胃の刺激を防止することができない。
【０００７】
したがって、低い中和度であっても水溶性である新規のタイプのエステル化セルロースエーテルを見出すことが望ましい。水溶性であるが、それでも胃の酸性環境での溶解に対して耐性を示す新規のタイプのエステル化セルロースエーテルを見出すことがよりいっそう望ましい。
【０００８】
驚くべきことに、フタリル基の少なくとも半分が非中和であるが水に溶解することができる新規のセルロースエーテルアセテートフタレートが見出された。さらに、新規のセルロースエーテルアセテートフタレートは、胃の酸性環境での溶解に対して耐性を示す。
【発明の概要】
【０００９】
本発明の一態様は、フタリル基の置換度が、０．０２〜０．２５であり、フタリル基の中和度が、０．５以下であり、アセチル基の置換度が、０．０２〜０．４０であり、フタリル基とアセチル基との総置換度が、０．５０以下である、セルロースエーテルアセテートフタレートである。
【００１０】
本発明の別の態様は、水性希釈剤に溶解した少なくとも１つの上記セルロースエーテルアセテートフタレートを含む液体組成物である。
【００１１】
本発明のさらに別の態様は、少なくとも１つの上記セルロースエーテルアセテートフタレート及び有機希釈剤を含む液体組成物である。
【００１２】
本発明のさらに別の態様は、上述した液体組成物を剤形と接触させるステップを含む、剤形をコーティングするためのプロセスである。
【００１３】
本発明のさらに別の態様は、上述した液状組成物を浸漬ピンと接触させるステップを含む、カプセルシェルを製造するためのプロセスである。
【００１４】
本発明のさらに別の態様は、コーティングが、少なくとも１つの上記セルロースエーテルアセテートフタレート含むコーティングされた剤形である。
【００１５】
本発明のさらに別の態様は、少なくとも１つの上記セルロースエーテルアセテートフタレートを含むポリマーカプセルシェルである。
【００１６】
本発明のさらに別の態様は、上述したカプセルシェルを含み、薬物もしくは栄養補助食品、またはそれらの組み合わせをさらに含むカプセルである。
【００１７】
本発明のさらに別の態様は、少なくとも１つの上記セルロースエーテルアセテートフタレート中の少なくとも１つの活性成分の固体分散体である。
【発明を実施するための形態】
【００１８】
驚くべきことに、本発明のセルロースエーテルアセテートフタレートが２℃で少なくとも２．０重量パーセントの水への溶解度を有することが見出された。少量の沈降物のみを有する、または好ましい実施形態では、沈降物がない透明もしくは濁った溶液が、２℃以下の温度で得られる。調製した溶液の温度を１５℃または２０℃に上昇させても、沈殿は起こらない。さらに、本発明のセルロースエーテルアセテートフタレートの好ましい実施形態の水溶液は、わずかな高温でゲル化する。これは、本発明のセルロースエーテルアセテートフタレートを、例えば、カプセルを製造するため、または剤形をコーティングするための様々な用途において非常に有用にする。本発明のセルロースエーテルアセテートフタレートの利点を以下により詳細に説明する。
【００１９】
セルロースエーテルアセテートフタレートは、本発明の文脈においてアンヒドログルコース単位と称されるβ−１，４−グリコシド結合Ｄ−グルコピラノースの繰り返し単位を有するセルロース主鎖を有する。セルロースエーテルアセテートフタレートは、好ましくはアルキルセルロースアセテートフタレート、ヒドロキシアルキルセルロースアセテートフタレート、またはヒドロキシアルキルセルロースアセテートフタレート、より好ましくはヒドロキシプロピルメチルセルロースアセテートフタレートである。これは、本発明のセルロースエーテルアセテートフタレートにおいて、アンヒドログルコース単位のヒドロキシル基の少なくとも一部が、アルコキシル基もしくはヒドロキシアルコキシル基、またはアルコキシル基とヒドロキシアルコキシル基との組み合わせで置換されていることを意味する。ヒドロキシアルコキシ基は、典型的には、ヒドロキシメトキシル、ヒドロキシエトキシル、及び／またはヒドロキシプロポキシル基である。ヒドロキシエトキシル及び／またはヒドロキシプロポキシル基が好ましい。典型的には、１種または２種類のヒドロキシアルコキシ基がセルロースエーテルアセテートフタレート中に存在する。好ましくは、単一の種類のヒドロキシアルコキシル基、より好ましくはヒドロキシプロポキシルが存在する。アルコキシル基は、典型的には、メトキシル、エトキシル、及び／またはプロポキシル基である。メトキシル基が好ましい。上記で定義したセルロースエーテルアセテートフタレートの実例は、アルキルセルロースアセテートフタレート、例えばメチルセルロースアセテートフタレート及びプロピルセルロースアセテートフタレート、ヒドロキシアルキルセルロースアセテートフタレート、例えばヒドロキシエチルセルロースアセテートフタレート、ヒドロキシプロピルセルロースアセテートフタレート、及びヒドロキシブチルセルロースアセテートフタレート、ならびにヒドロキシアルキルメチルセルロースアセテートフタレート、例えばヒドロキシエチルメチルセルロースアセテートフタレート、ヒドロキシメチルエチルアセテートフタレート、エチルヒドロキシエチルアセテートフタレート、ヒドロキシプロピルメチルセルロースアセテートフタレート、ヒドロキシプロピルエチルセルロースアセテートフタレート、ヒドロキシブチルメチルセルロースアセテートフタレート、及びヒドロキシブチルエチルセルロースアセテートフタレート、ならびに２つ以上のヒドロキシアルキル基を有するもの、例えばヒドロキシエチルヒドロキシプロピルメチルセルロースアセテートフタレートである。最も好ましくは、セルロースエーテルアセテートフタレートは、ヒドロキシアルキルメチルセルロースアセテートフタレート、例えばヒドロキシプロピルメチルセルロースアセテートフタレートである。
【００２０】
ヒドロキシアルコキシル基によるアンヒドログルコース単位のヒドロキシル基の置換度は、ヒドロキシアルコキシ基のモル置換基、ＭＳ（ヒドロキシアルコキシル）で表される。ＭＳ（ヒドロキシアルコキシル）は、セルロースエーテルアセテートフタレート中のアンヒドログルコース単位当たりのヒドロキシアルコキシル基の平均モル数である。ヒドロキシアルキル化反応の間、セルロース主鎖に結合したヒドロキシアルコキシ基のヒドロキシル基は、アルキル化剤、例えばメチル化剤、及び／またはヒドロキシアルキル化剤によってさらにエーテル化することができる。無水グルコース単位の同じ炭素原子位置に対する複数のその後のヒドロキシアルキル化エーテル化反応により側鎖が生じ、複数のヒドロキシアルコキシル基が、エーテル結合によって互いに共有結合され、各側鎖が、全体としてセルロース主鎖にヒドロキシアルコキシ置換基を形成する。
【００２１】
したがって、「ヒドロキシアルコキシ基」という用語は、上記に概説したような単一のヒドロキシアルコキシル基または側鎖のいずれかを含む、ヒドロキシアルコキシ基の構成単位としてヒドロキシアルコキシ基を言及する場合には、ＭＳ（ヒドロキシアルコキシ）の文脈で解釈しなければならず、２つ以上のヒドロキシアルコキシ単位がエーテル結合によって互いに共有結合されている。この定義の範囲内で、ヒドロキシアルコキシル置換基の末端ヒドロキシル基が、さらにアルキル化、例えばメチル化されるかどうかは重要ではなく、アルキル化及び非アルキル化ヒドロキシアルコキシル置換基の両方がＭＳ（ヒドロキシアルコキシ）の決定のために含まれる。本発明のセルロースエーテルアセテートフタレートは、一般に、０．０５〜１．００、好ましくは０．０８〜０．７０、より好ましくは０．１５〜０．６０、最も好ましくは０．１５〜０．４０、特に０．２０〜０．４０の範囲のヒドロキシアルコキシル基のモル置換度を有する。
【００２２】
無水グルコース単位当たりのメトキシル基などのアルコキシル基で置換されたヒドロキシル基の平均数は、アルコキシル基の置換度、ＤＳ（アルコキシル）と称される。上記ＤＳの定義において、「アルコキシル基によって置換されるヒドロキシル基」という用語は、本発明の範囲内でセルロース主鎖の炭素原子に直接結合したアルキル化ヒドロキシル基だけでなく、セルロース主鎖に結合したヒドロキシアルコキシル置換基のアルキル化ヒドロキシル基も含むと解釈されるべきである。本発明によるセルロースエーテルアセテートフタレートは、一般に、１．０〜２．５、好ましくは１．２〜２．２、より好ましくは１．６〜２．０５、最も好ましくは１．７〜２．０５の範囲のＤＳ（アルコキシル）を有する。
【００２３】
最も好ましくは、セルロースエーテルアセテートフタレートは、ＤＳ（アルコキシル）について上に示した範囲内のＤＳ（メトキシル）及びＭＳ（ヒドロキシアルコキシル）について上に示した範囲内のＭＳ（ヒドロキシプロポキシル）を有するヒドロキシプロピルメチルセルロースアセテートフタレート（ＨＰＭＣＡＰ）である。
【００２４】
本発明のセルロースエーテルアセテートフタレートの本質的な特徴は、フタリル基のその置換度である。フタリル基の置換度は、少なくとも０．０２、好ましくは少なくとも０．０３、より好ましくは少なくとも０．０４、最も好ましくは少なくとも０．０５である。フタリル基の総置換度は、０．２５以下である。本発明のいくつかの実施形態では、フタリル基の置換度は、最大０．１８、または最大０．１５、またはさらにわずか最大０．１０である。本発明のセルロースエーテルアセテートフタレートは、水中のその濃度に応じて、実施例の項に記載したように高温でゲル化することが見出されている。
【００２５】
本発明のセルロースエーテルアセテートフタレートは、０．０２〜０．４０のアセチル基の置換度を有する。アセチル基の置換度は、好ましくは少なくとも０．０４、より好ましくは少なくとも０．０５、最も好ましくは少なくとも０．０７である。本発明のいくつかの実施形態では、アセチル基の置換度は、少なくとも０．１０である。セルロースエーテルアセテートフタレートは、好ましくは最大０．３５、より好ましくは最大０．３０、最も好ましくは最大０．２５のアセチル基の置換度を有する。
【００２６】
フタリル基及びアセチル基の総置換度は、０．５０以下、好ましくは０．４５以下、より好ましくは０．４０以下、最も好ましくは０．３５以下である。フタリル基及びアセチル基の総置換度は、好ましくは少なくとも０．１０、より好ましくは少なくとも０．１５、いくつかの実施形態では少なくとも０．２０である。
【００２７】
セルロースエーテルアセテートフタレート中のフタリル基の含有量は、ヒプロメロースフタレート中のフタリル基について、Ｈｙｐｒｏｍｅｌｌｏｓｅ  ｐｈｔｈａｌａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ３３，ｐｐ．６７０１−６７０２に記載されたように決定される。
【００２８】
アセチル基の含有量は、「Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０」に記載されているのと同様に決定される。
【００２９】
セルロースエーテルアセテートフタレート中のエーテル基の含有量は、「Ｈｙｐｒｏｍｅｌｌｏｓｅ」、Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ  ３４６７−３４６９に記載されているのと同様に決定される。
【００３０】
上記分析により得られたエーテル基及びエステル基の含有量は、以下の式に従って個々の置換基のＤＳ及びＭＳ値に変換される。これらの式は、他のセルロースエーテルエステルの置換基のＤＳ及びＭＳを決定するために類似の様式で使用されてもよい。
【００３１】
【化１】
2019529592.tif 000002
【００３２】
慣例により、重量パーセントは、すべての置換基を含むセルロース繰り返し単位の総重量に基づく平均重量パーセントである。メトキシル基の含有量は、メトキシル基（すなわち、−ＯＣＨ３）の質量に基づいて報告される。ヒドロキシアルコキシ基の含有量は、ヒドロキシアルコキシ基（すなわち、−Ｏ−アルキレン−ＯＨ）、例えばヒドロキシプロポキシル（すなわち、−Ｏ−ＣＨ２ＣＨ（ＣＨ３）−ＯＨ）の質量に基づいて報告される。アセチル基の含有量は、アセチル基（すなわち、−Ｃ（Ｏ）−ＣＨ３）の質量に基づいて報告される。フタリル基の含有量は、フタリル基（すなわち、−Ｃ（Ｏ）−Ｃ６Ｈ４−ＣＯＯＨ）の質量に基づいて報告される。
【００３３】
本発明のセルロースエーテルアセテートフタレートでは、フタリル基の中和度は、０．５以下、一般に０．４５以下、好ましくは０．４以下、より好ましくは０．３以下、最も好ましくは０．１以下、特に０．０５以下、またはさらに０．０１以下である。中和度は、本質的にゼロであっても、それよりわずかに上、例えば最大１０−３、またはさらに最大１０−４でさえあり得る。本明細書で使用される「中和度」という用語は、脱プロトン化カルボキシル基とプロトン化カルボキシル基との合計に対する脱プロトン化カルボキシル基の比、すなわち、中和度＝［−Ｃ（Ｏ）−Ｃ６Ｈ４−ＣＯＯ￣］／［−Ｃ（Ｏ）−Ｃ６Ｈ４−ＣＯＯ￣＋−Ｃ（Ｏ）−Ｃ６Ｈ４−ＣＯＯＨ］を定義する。
【００３４】
中和度は、Ｃｈｅｍ．Ｐｈａｒｍ．Ｂｕｌｌ．４５（８）１３５０−１３５３（１９９７），Ｖｏｌ．４５，Ｎｏ．８，ａｔ  ｐａｇｅ  １３５０における「Ｄｅｖｅｌｏｐｍｅｎｔ  ｏｆ  Ｃｅｌｌｕｌｏｓｅ  Ｄｅｒｉｖａｔｉｖｅｓ  ａｓ  Ｎｏｖｅｌ  Ｅｎｔｅｒｉｃ  Ｃｏａｔｉｎｇ  Ａｇｅｎｔｓ  Ｓｏｌｕｂｌｅ  ａｔ  ｐＨ  ３．５−４．５  ａｎｄ  Ｈｉｇｈｅｒ」において、Ｈ．Ｋｏｋｕｂｏらに記載されているように滴定によって評価することができる。中和されたフタリル基では、カウンターカチオンは、好ましくは、アンモニウムカチオン、例えばＮＨ４＋、またはアルカリ金属イオン、例えばナトリウムもしくはカリウムイオン、より好ましくはナトリウムイオンである。
【００３５】
驚くべきことに、本発明のセルロースエーテルアセテートフタレートは、２℃で少なくとも２．０重量パーセントの水への溶解度を有すること、すなわち、２℃で水中の少なくとも２．０重量パーセント溶液、好ましくは少なくとも３．０重量パーセント溶液、より好ましくは少なくとも５．０重量パーセント溶液、最も好ましくは少なくとも１０．０重量パーセント溶液として溶解することができることが見出された。一般に、本発明のセルロースエーテルアセテートフタレートは、２℃の温度で水中の最大２０重量パーセント溶液として、または最も好ましい実施形態では、最大３０重量パーセント溶液としてさえ溶解することができる。本明細書で使用される「２℃で水中のｘ重量パーセント溶液」という用語は、セルロースエーテルアセテートフタレートのｘｇが２℃で（１００−ｘ）ｇの水に溶解することを意味する。
【００３６】
実施例の項に記載したように水溶性を決定するとき、本発明のセルロースエーテルアセテートフタレートは、好ましくは、少なくとも８５重量％、典型的には少なくとも９０重量％、より典型的には少なくとも９５重量％、多くの場合少なくとも９９重量％のセルロースエーテルアセテートフタレートが、２℃で２．５重量部のセルロースエーテルアセテートフタレートと９７．５重量部の水との混合物に可溶性である溶解度特性を有する。典型的には、この溶解度はまた、２℃で５もしくは１０重量部のセルロースエーテルアセテートフタレートと、９５もしくは９０重量部の水との混合物中で、またはさらに２℃で２０重量部のセルロースエーテルアセテートフタレートと８０重量部の水との混合物中で観察される。
【００３７】
より一般的な用語では、驚くべきことに、本発明のセルロースエーテルアセテートフタレートは、フタリル基の中和度が低いにも関わらず、セルロースエーテルアセテートフタレートが、０．５超、または上に列挙した好ましい範囲にセルロースエーテルアセテートフタレートの中和度を増加させない水性液体とブレンドされる場合、例えば、セルロースエーテルアセテートフタレートが、脱イオン水または蒸留水などの水のみとブレンドされる場合であっても、２℃の温度で水性液体に可溶性であることが見出された。沈降物がない透明または濁った溶液が、２℃で得られる。
【００３８】
さらに、本発明のセルロースエーテルアセテートフタレートの水溶液は、高温、典型的には２５〜７０℃、より典型的には３０〜６０℃でゲル化することが見出された。これは、本発明のセルロースエーテルアセテートフタレートを、例えば、カプセルを製造するため、及び剤形をコーティングするための様々な用途において非常に有用にする。高温でのヒドロキシプロピルメチルセルロースアセテートフタレート（ＨＰＭＣＡＰ）などのこれらのセルロースエーテルアセテートフタレートの水溶液のゲル化は、セルロースエーテルアセテートフタレートを製造するための出発物質として使用されるセルロースエーテルの水溶液がゲル化しなくても観察される。例えば、本発明の実施例は、本発明のゲル化ＨＰＭＣＡＰを例証しているが、それらを調製するための出発物質として使用される対応するヒドロキシプロピルメチルセルロースは、かなりの程度ゲル化しない。本発明のセルロースエーテルアセテートフタレートのゲル化は、典型的には、セルロースエーテルアセテートフタレート及び水性液体の総重量に基づいて、２〜３０重量パーセント、より典型的には５〜２０重量パーセントの濃度で生じる。ゲル化は可逆的であり、すなわち、２０℃に冷却するとゲルは、液体水溶液に変換される。
【００３９】
本発明のセルロースエーテルアセテートフタレートが可溶性である水性液体は、少量の有機液体希釈剤をさらに含んでもよいが、水性液体は、一般に、水性液体の総重量に基づいて、少なくとも８０重量パーセント、好ましくは少なくとも８５重量パーセント、より好ましくは少なくとも９０重量パーセント、特に少なくとも９５重量パーセントの水を含むべきである。本明細書で使用される「有機液体希釈剤」という用語は、有機溶媒または２つ以上の有機溶媒の混合物を意味する。好ましい有機液体希釈剤は、１つ以上のヘテロ原子、例えば酸素、窒素、または塩素のようなハロゲンを有する極性有機溶媒である。より好ましい有機液体希釈剤は、アルコール、例えばグリセロールなどの多官能性アルコール、または好ましくはメタノール、エタノール、イソプロパノール、もしくはｎ−プロパノールなどの単官能性アルコール、エーテル、例えばテトラヒドロフラン、アセテート、例えばエチルアセテート、ハロゲン化炭化水素、例えば塩化メチレン、もしくはニトリル、例えばアセトニトリルである。より好ましくは、有機液体希釈剤は、１〜６個、最も好ましくは１〜４個の炭素原子を有する。水性液体は、塩基性化合物を含んでもよいが、得られるセルロースエーテルアセテートフタレートと水性液体とのブレンド中のセルロースエーテルアセテートフタレートのフタリル基の中和度は、さらに上に記載されるように０．５０未満または好ましい上限を超えてはならない。好ましくは、水性液体は、実質量の塩基性化合物を含まない。より好ましくは、水性希釈剤は、塩基性化合物を含有しない。さらにより好ましくは、水性液体は、水性液体の総重量に基づいて、８０〜１００パーセント、好ましくは８５〜１００パーセント、より好ましくは９０〜１００パーセント、最も好ましくは９５〜１００パーセントの水と、０〜２０パーセント、好ましくは０〜１５パーセント、より好ましくは０〜１０パーセント、最も好ましくは０〜５パーセントの有機液体希釈剤とを含む。最も好ましくは、水性液体は、水、例えば脱イオン水または蒸留水からなる。最も好ましくは、水性液体は、水、例えば脱イオン水または蒸留水からなる。
【００４０】
本発明のセルロースエーテルアセテートフタレートは、一般に、２０℃で０．４３重量％の水性ＮａＯＨ中のセルロースエーテルアセテートフタレートの２．０重量％溶液として測定される、最大２００ｍＰａ・ｓ、好ましくは最大１００ｍＰａ・ｓ、より好ましくは最大５０ｍＰａ・ｓ、最も好ましくは最大５．０ｍＰａ・ｓの粘度を有する。一般に、粘度は、２０℃で０．４３重量％の水性ＮａＯＨ中のセルロースエーテルアセテートフタレートの２．０重量％溶液として測定される、少なくとも１．２ｍＰａ．ｓ、より典型的には少なくとも１．８ｍＰａ・ｓ、さらにより典型的には少なくとも２．４ｍＰａ・ｓ、最も典型的には少なくとも２．８ｍＰａ・ｓである。
【００４１】
本発明のセルロースエーテルアセテートフタレートの製造の詳細は、実施例に記載されている。以下に、製造プロセスのいくつかの態様が記載されている。本発明のセルロースエーテルアセテートフタレートは、さらに上に記載されるアルキルセルロース、ヒドロキシアルキルセルロース、またはヒドロキシアルキルアルキルセルロースなどのセルロースエーテルをエステル化することによって製造することができる。セルロースエーテルは、好ましくは、さらに上に記載されるようにＤＳ（アルコキシル）及び／またはＭＳ（ヒドロキシアルコキシル）を有する。エステル化のための出発物質として使用されるセルロースエーテルは、一般に、ＡＳＴＭ  Ｄ２３６３−７９（再承認２００６）に従って、２０℃で２重量％の水溶液として測定される、１．２〜２００ｍＰａ・ｓ、好ましくは１．８〜１００ｍＰａ・ｓ、より好ましくは２．４〜５０ｍＰａ・ｓ、特に２．８〜５．０ｍＰａ・ｓの粘度を有する。このような粘度のセルロースエーテルは、より高粘度のセルロースエーテルを部分解重合プロセスに供することによって得ることができる。部分解重合プロセスは、当技術分野において周知であり、例えば、欧州特許出願第１，１４１，０２９号、同第２１０，９１７号、同第１，４２３，４３３号、及び米国特許第４，３１６，９８２号に記載されている。あるいは、部分解重合は、例えば、酸素または酸化剤の存在によって、セルロースエーテルの製造中に達成することができる。
【００４２】
セルロースエーテルを無水フタル酸及び無水酢酸と反応させる。無水フタル酸とセルロースエーテルのアンヒドログルコース単位とのモル比は、一般に少なくとも０．０５：１、好ましくは少なくとも０．０８：１、より好ましくは少なくとも０．１０：１、最も好ましくは少なくとも０．１２：１である。無水フタル酸とセルロースエーテルのアンヒドログルコース単位とのモル比は、一般に０．３０：１以下、好ましくは０．２５：１以下である。無水酢酸とセルロースエーテルのアンヒドログルコース単位とのモル比は、一般に少なくとも０．０８：１、好ましくは少なくとも０．１０：１、より好ましくは少なくとも０．１８：１である。本発明の最も好ましい態様では、無水酢酸とセルロースエーテルのアンヒドログルコース単位とのモル比は、少なくとも０．２５：１である。無水酢酸とセルロースエーテルのアンヒドログルコース単位とのモル比は、一般に最大０．８５：１、好ましくは最大０．８０：１、より好ましくは最大０．７０：１である。フタリル基及びアセチル基の総置換度が、０．５０以下であるように無水フタル酸及び無水酢酸の合計量が選択される。無水フタル酸とセルロースエーテルのアンヒドログルコース単位とのモル比が、上に開示された範囲の上端であるとき、典型的には無水酢酸とセルロースエーテルのアンヒドログルコース単位との選択モル比は、上に開示された範囲の上端ではなく、その逆もまた同様である。
【００４３】
このプロセスで利用されるセルロースエーテルのアンヒドログルコース単位のモル数は、ＤＳ（アルコキシル）及びＭＳ（ヒドロキシアルコキシル）からの置換アンヒドログルコース単位の平均分子量を計算することにより、出発物質として使用されるセルロースエーテルの重量から決定することができる。
【００４４】
セルロースエーテルのエステル化は、酢酸、プロピオン酸、または酪酸などの反応希釈剤としての脂肪族カルボン酸中で実施される。反応希釈剤は、室温で液体であり、ベンゼン、トルエン、１，４−ジオキサン、もしくはテトラヒドロフランのような芳香族もしくは脂肪族溶媒などのセルロースエーテルと反応しない少量の他の溶媒もしくは希釈剤、またはジクロロメタンもしくはジクロロメチルエーテルのようなハロゲン化Ｃ１−Ｃ３誘導体を含むことができるが、脂肪族カルボン酸の量は、一般に、反応希釈剤の総重量に基づいて、５０パーセント超、好ましくは少なくとも７５パーセント、より好ましくは少なくとも９０パーセントであるべきである。最も好ましくは、反応希釈剤は、脂肪族カルボン酸、より好ましくは酢酸からなる。モル比［脂肪族カルボン酸／セルロースエーテルのアンヒドログルコース単位］は、一般に、９．５：１〜１１：１、好ましくは１０．０：１〜１０．５：１である。
【００４５】
エステル化反応は、エステル化触媒の存在下、好ましくはアルカリ金属カルボン酸塩、例えば酢酸ナトリウムまたは酢酸カリウムの存在下で実施される。モル比［アルカリ金属カルボン酸塩／セルロースエーテルのアンヒドログルコース単位］は、一般に、［２．０／１．０］〜［３．０／１．０］、好ましくは［２．３／１．０］〜［２．６／１．０］である。
【００４６】
エステル化のための反応温度は、一般に、７５℃〜９５℃、好ましくは８０℃〜９０℃である。エステル化反応は、典型的には２．５〜４時間以内に完了される。エステル化反応の完了後、既知の様式、例えば、米国特許第４，２２６，９８１号、国際特許出願第ＷＯ２００５／１１５３３０号、欧州特許出願第ＥＰ０２１９４２６号、または国際特許出願第ＷＯ２０１３／１４８１５４号に記載されているように、セルロースエーテルアセテートフタレートを反応混合物から沈殿させることができる。沈殿したセルロースエーテルアセテートフタレートは、典型的には７０〜１００℃の温度において水性液体で洗浄される。好適な水性液体は、上にさらに記載されている。
【００４７】
本発明の別の態様は、水性液体に溶解した本発明の上記セルロースエーテルアセテートフタレートのうちの１つ以上を含む水性組成物である。水性液体は、上にさらに記載されている。本発明のセルロースエーテルアセテートフタレートは、水性組成物を−２℃〜１０℃未満、好ましくは０℃〜８℃未満、より好ましくは０．５℃〜５℃未満、最も好ましくは０．５℃〜３℃の温度に冷却することによって水溶液にすることができる。水性組成物は、水性組成物の総重量に基づいて、好ましくは、少なくとも５重量％、より好ましくは少なくとも１０重量％、好ましくは最大３０重量％、より好ましくは最大２０重量％の本発明のセルロースエーテルアセテートフタレートを含む。
【００４８】
水性液体に溶解した本発明の上記セルロースエーテルアセテートフタレートのうちの１つ以上を含む水性組成物は、液体組成物を浸漬ピンと接触させるカプセルの製造に有用である。典型的には、２０℃未満、より典型的には１５℃未満、またはいくつかの実施形態では１０℃未満の温度を有する水性組成物は、水性組成物よりも高い温度を有し、少なくとも２１℃、より典型的には少なくとも２５℃、最大９５℃、好ましくは最大８０℃の温度を有する浸漬ピンと接触させる。
【００４９】
水性液体に溶解した上記セルロースエーテルアセテートフタレートのうちの１つ以上を含む水性組成物はまた、錠剤、顆粒、ペレット、カプレット、ロゼンジ、坐剤、腟坐剤、または移植可能な剤形などの剤形をコーティングするのに有用である。
【００５０】
本発明の別の態様は、有機希釈剤と、本発明の上記セルロースエーテルアセテートフタレートのうちの１つ以上とを含む液体組成物である。有機希釈剤は、液体組成物中に単独で存在してもよく、または水と混合されてもよい。好ましい有機希釈剤は、上にさらに記載されている。液体組成物は、液体組成物の総重量に基づいて、好ましくは、少なくとも５重量％、より好ましくは少なくとも１０重量％、好ましくは最大３０重量％、より好ましくは最大２０重量％の本発明のセルロースエーテルアセテートフタレートを含む。
【００５１】
上記のような水性液体または有機希釈剤と、上記セルロースエーテルアセテートフタレートのうちの１つ以上とを含む本発明の組成物はまた、活性成分のための賦形剤系として有用であり、特に、肥料、除草剤、または農薬などの活性成分、またはビタミン、ハーブ、及びミネラルサプリメントまたは薬物などの生物学的に活性な成分のための賦形剤系を調製するための中間体として有用である。したがって、本発明の組成物は、好ましくは、１つ以上の活性成分、最も好ましくは１つ以上の薬物を含む。「薬物」という用語は、従来のものであり、動物、特にヒトに投与したときに有益な予防的及び／または治療的特性を有する化合物を意味する。本発明の別の態様では、本発明の組成物は、薬物、少なくとも１つの上記のセルロースエーテルアセテートフタレート、及び任意選択で１つ以上の補助剤などの少なくとも１つの活性成分を含む固体分散体を製造するために使用される。固体分散体を製造する好ましい方法は、噴霧乾燥による方法である。噴霧乾燥プロセス及び噴霧乾燥装置は、一般に、Ｐｅｒｒｙ´ｓ  Ｃｈｅｍｉｃａｌ  Ｅｎｇｉｎｅｅｒｓ´  Ｈａｎｄｂｏｏｋ，ｐａｇｅｓ  ２０−５４〜２０−５７（Ｓｉｘｔｈ  Ｅｄｉｔｉｏｎ  １９８４）に記載されている。あるいは、本発明の固体分散体は、ｉ）ａ）上記の少なくとも１つのセルロースエーテルアセテートフタレート、ｂ）１つ以上の活性成分、及びｃ）１つ以上の任意選択の添加剤をブレンドすることと、ｉｉ）ブレンドを押出に供することとによって調製されてもよい。本明細書で使用される「押出」という用語は、射出成形、溶融鋳造、及び圧縮成形として知られるプロセスを含む。薬物などの活性成分を含む組成物を押出、好ましくは溶融押出するための技術は、既知であり、Ｊｏｅｒｇ  Ｂｒｅｉｔｅｎｂａｃｈ，Ｍｅｌｔ  ｅｘｔｒｕｓｉｏｎ：ｆｒｏｍ  ｐｒｏｃｅｓｓ  ｔｏ  ｄｒｕｇ  ｄｅｌｉｖｅｒｙ  ｔｅｃｈｎｏｌｏｇｙ，Ｅｕｒｏｐｅａｎ  Ｊｏｕｒｎａｌ  ｏｆ  Ｐｈａｒｍａｃｅｕｔｉｃｓ  ａｎｄ  Ｂｉｏｐｈａｒｍａｃｅｕｔｉｃｓ  ５４（２００２）１０７−１１７、または欧州特許出願第ＥＰ０８７２２３３号に記載されている。本発明の固体分散体は、好ましくは、セルロースエーテルアセテートフタレートａ）及び活性成分ｂ）の総重量に基づいて、ａ）上記のように２０〜９９．９パーセント、より好ましくは３０〜９８パーセント、最も好ましくは６０〜９５パーセントのセルロースエーテルアセテートフタレートと、ｂ）好ましくは０．１〜８０パーセント、より好ましくは２〜７０パーセント、最も好ましくは５〜４０パーセントの活性成分ｂ）とを含む。セルロースエーテルアセテートフタレートａ）及び活性成分ｂ）の総計量は、固体分散体の総重量に基づいて、好ましくは少なくとも７０パーセント、より好ましくは少なくとも８０パーセント、最も好ましくは少なくとも９０パーセントである。残りの量は、存在する場合、以下に記載するような補助剤ｃ）のうちの１つ以上からなる。少なくとも１つの活性成分を少なくとも１つのセルロースエーテルアセテートフタレート中に含む固体分散体が形成されると、ストランド、ペレット、顆粒、丸薬、錠剤、カプレット、微粒子、カプセルの充填もしくは射出成形カプセル、または粉末、フィルム、ペースト、クリーム、懸濁液、もしくはスラリーの形態で剤形への分散体の組み込みを容易にするために、乾燥、造粒、及びミリングなどのいくつかの処理操作を使用することができる。
【００５２】
本発明の水性組成物、有機希釈剤を含む液体組成物、及び固体分散体は、着色剤、顔料、乳白剤、風味改良剤、酸化防止剤、及びそれらの任意の組み合わせなどの任意選択の補助剤をさらに含んでもよい。
【００５３】
ここで、本発明のいくつかの実施形態を、以下の実施例において詳細に記載する。
【実施例】
【００５４】
特に言及しない限り、すべての部及びパーセンテージは、重量基準である。実施例では、以下の試験手順が使用される。
【００５５】
エーテル及びエステル基の含有量
セルロースエーテルアセテートフタレート中のエーテル基の含有量は、「Ｈｙｐｒｏｍｅｌｌｏｓｅ」、Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ  ３４６７−３４６９に記載されているのと同様に決定される。
【００５６】
フタリル基の含有量は、Ｈｙｐｒｏｍｅｌｌｏｓｅ  ｐｈｔｈａｌａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ３３，ｐｐ．６７０１−６７０２に従って決定される。
【００５７】
アセチル基の含有量は、「Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０」に記載されているのと同様に決定される。
【００５８】
ヒドロキシプロピルメチルセルロースアセテートフタレート（ＨＰＭＣＡＰ）の水溶性
定量的決定：乾燥重量に基づいて、２℃の温度を有する９７．５重量部の脱イオン水に２．５重量部のＨＰＭＣＡＰを添加し、続いて、２℃で６時間撹拌し、２℃で１６時間保存した。秤量したこの混合物を秤量した遠心分離機バイアルに移して、移した混合物の重量をｇでＭ１として記録した。移したＨＰＭＣＡＰの重量［Ｍ２］は、（ｇ／１００ｇｘ２．５ｇの移した混合物の重量）として計算した。混合物を２℃で５０００ｒｐｍ（Ｔｈｅｒｍｏ  Ｓｃｉｅｎｔｉｆｉｃからの２８２３×ｇ，Ｂｉｏｆｕｇｅ  Ｓｔｒａｔｏｓ遠心機）で６０分間遠心分離した。遠心分離後、アリコートを液相から取り出し、乾燥秤量したバイアルに移した。移したアリコートの重量をｇでＭ３として記録した。アリコートを１０５℃で１２時間加熱した。残りのＨＰＭＣＡＰのｇを乾燥後に秤量し、ｇでＭ４として記録した。
【００５９】
以下の表２中の「２．５％で％の水溶性」という用語は、２．５重量部のＨＰＭＣＡＰと９７．５重量部の脱イオン水との混合物に実際に溶解したＨＰＭＣＡＰのパーセンテージを表す。それは、
（液体アリコート中のＨＰＭＣＡＰｇ／遠心分離バイアルに移したＨＰＭＣＡＰｇ）×（遠心分離バイアルに移した混合物ｇ／遠心分離後の液体アリコートｇ）×１００に相当する（Ｍ４／Ｍ２）×（Ｍ１／Ｍ３）×１００として計算される。上記の式において、「×」は乗算演算子を表す。
【００６０】
定性的決定：ＨＰＭＣＡＰと水との２重量の混合物は、その乾燥重量に基づいて、２．０ｇのＨＰＭＣＡＰを０．５℃で１６時間、激しく撹拌しながら９８．０ｇの水と混合することによって調製した。次いで、ＨＰＭＣＡＰと水との混合物の温度を冷蔵庫で４℃に上昇させた。４℃で可溶性のＨＰＭＣＡＰも２℃で可溶性であり、２℃での溶解度は、少なくとも４℃と同程度に高い。ＨＰＭＣＡＰの水溶性は、目視検査によって決定した。ＨＰＭＣＡＰが２℃で２％の水溶性であるか否かの決定は、以下のように行った。「２％の水溶性−有り」は、上記の手順に従って沈降物のない溶液が得られたことを意味する。「２％の水溶性−無し」とは、乾燥重量に基づいて、２．０ｇのＨＰＭＣＡＰを上記の手順に従って、９８．０ｇの水と混合すると、ＨＰＭＣＡＰの少なくともかなりの部分が溶解せず残存して沈降物を形成したことを意味する。
【００６１】
ヒドロキシプロピルメチルセルロースアセテートフタレート（ＨＰＭＣＡＰ）の粘度
０．４３重量％の水性ＮａＯＨ中のＨＰＭＣＡＰの２．０重量％溶液を、「Ｈｙｐｒｏｍｅｌｌｏｓｅ  Ｐｈｔｈａｌａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦに記載されているように調製した。ＤＩＮ  ５１５６２−１：１９９９−０１（１９９９年１月）に従ってウベローデ粘度測定を行った。測定は２０℃で行った。０．４３重量％の水性ＮａＯＨ中のＨＰＭＣＡＰの２．０重量％溶液を、以下の表２に「０．４３％ＮａＯＨ中の２．０％粘度」として列挙する。
【００６２】
ジクロロメタンとメタノールとの重量比１：１の混合物中のＨＰＭＣＡＰの１０重量％溶液を、１０．０ｇのＨＰＭＣＡＰを４５．０ｇのジクロロメタン及び４５．０ｇのメタノールと室温で激しく撹拌しながら混合することによって調製した。混合物をローラーミキサーで約２４時間圧延した。Ｈｅｒａｅｕｓ  Ｈｏｌｄｉｎｇ  ＧｍｂＨ，Ｇｅｒｍａｎｙから市販されているＭｅｇａｆｕｇｅ  １．０遠心機を使用して、溶液を２０００ｒｐｍで３分間遠心分離した。ＤＩＮ  ５１５６２−１：１９９９−０１（１９９９年１月）に従ってウベローデ粘度測定を行った。測定は２０℃で行った。
【００６３】
ＨＰＭＣＡＰ水溶液のゲル化温度及びゲル強度
水中のＨＰＭＣＡＰの２重量％、５重量％、または１０重量％の溶液は、（ＨＰＭＣＡＰの含水量を考慮しながら）対応する量のミリング、粉砕、及び乾燥されたＨＰＭＣＡＰを３−ウィング（ウィング＝２ｃｍ）ブレードスターラーを用いて７５０ｒｐｍでオーバーヘッドラボ撹拌機で撹拌しながら、室温で水（温度２０〜２５℃）に添加することによって製造した。次いで、溶液を約１．５℃に冷却した。１．５℃の温度に達した後、溶液を５００ｒｐｍで１２０分間撹拌した。各溶液は、特徴付けの前に冷蔵庫に保存した。
【００６４】
水中のＨＰＭＣＡＰ溶液のレオロジー測定は、カップ及びボブ固定具（ＣＣ−２５）を備えたＨａａｋｅ  ＲＳ６００（Ｔｈｅｒｍｏ  Ｆｉｓｈｅｒ  Ｓｃｉｅｎｔｉｆｉｃ）レオメーターを用いて実施した。試料は、２％の一定の歪み（変形）及び２Ｈｚの一定の角周波数で５〜８５℃の温度範囲にわたって毎分１℃の速度で加熱した。測定収集率は、４データポイント／分となるように選択した。レオロジー測定から得られた貯蔵弾性率Ｇ´は、溶液の弾性特性を表し、貯蔵弾性率Ｇ´が損失弾性率Ｇ´´よりも高いときの高温領域におけるゲル強度を表す。
【００６５】
振動測定値から得られた貯蔵弾性率Ｇ´´の得られたデータを最初に対数化し、Ｇ´（ｍｉｎ）をゼロに、Ｇ´（ｍａｘ）を１００に正規化した。線形回帰曲線を、これらの貯蔵弾性率データのサブセット（５データポイントの増分）に適合させた。回帰曲線の最も急峻な斜面に接線を当てはめた。この接線とｘ軸との交点をゲル化温度として報告する。ゲル化温度を決定する方法の詳細は、段落「Ｄｅｔｅｒｍｉｎａｔｉｏｎ  ｏｆ  ｔｈｅ  ｇｅｌａｔｉｏｎ  ｔｅｍｐｅｒａｔｕｒｅ  ｏｆ  ａｑｕｅｏｕｓ  ｃｏｍｐｏｓｉｔｉｏｎｓ  ｃｏｍｐｒｉｓｉｎｇ  ｍｅｔｈｙｌ  ｃｅｌｌｕｌｏｓｅ」における１８及び１９ページの国際特許出願第ＷＯ２０１５／００９７９６号に記載されている。
【００６６】
このレオロジー測定により、６５℃における貯蔵弾性率Ｇ´によるゲル強度も得られた。
【００６７】
実施例１〜８及び比較例Ａ〜ＦのＨＰＭＣＡＰの製造
７００．０ｇの酢酸を反応器に充填し、撹拌した。次いで、２３０．０ｇの酢酸ナトリウム（水を含まない）及び２３０．０ｇのＨＰＭＣ（水を含まない）を添加した。ＨＰＭＣは、１．９８のメトキシル置換度（ＤＳＭ）、０．２５のヒドロキシプロポキシル置換度（ＭＳＨＰ）、及び３．０ｍＰａ・ｓの粘度を有し、ＡＳＴＭ  Ｄ２３６３−７９（再承認２００６）に従って２０℃で水中２％溶液として測定した。ＨＰＭＣの重量平均分子量は、約２０，０００ダルトンであった。ＨＰＭＣは、Ｍｅｔｈｏｃｅｌ  Ｅ３  ＬＶ  ＰｒｅｍｉｕｍセルロースエーテルとしてＴｈｅ  Ｄｏｗ  Ｃｈｅｍｉｃａｌ  Ｃｏｍｐａｎｙから市販されている。窒素による不活性化を行った。混合物を撹拌しながら８５℃に加熱した。８５℃の温度に達した後、反応混合物を１０分間撹拌した。次いで、以下の表１に列挙された無水フタル酸及び無水酢酸を添加して、反応混合物を３．５時間反応させた。エステル化反応後、混合物を５０℃の温度を有する３１８ｇの脱イオン水でクエンチした。次いで、２Ｌの脱イオン水（温度５０℃）を撹拌しながら反応器に添加して、ＨＰＭＣＡＰを沈殿させた。沈殿したＨＰＭＣＡＰを約５０℃まで冷却し、反応器から取り出した。ＨＰＭＣＡＰを５０００ｒｐｍで６０秒間回転するＵｌｔｒａ−Ｔｕｒｒａｘ撹拌機Ｓ５０−Ｇ４５を使用して高剪断混合を適用することにより１．７Ｌの温水（温度約９５℃）で数回洗浄した。濾過後、フィルターケーキを１．７Ｌの温水で数回洗浄した。洗浄されたＨＰＭＣＡＰを、真空濾過により単離し、５５℃で一晩乾燥させた。
【００６８】
【表１】
2019529592.tif 000003
【００６９】
実施例１〜８及び比較例Ａ〜ＦのＨＰＭＣＡＰの特性を以下の表２に列挙する。表２において、略語は以下の意味を有する：
ＤＳＭ＝ＤＳ（メトキシル）：メトキシル基の置換度
ＭＳＨＰ＝ＭＳ（ヒドロキシプロポキシル）：ヒドロキシプロポキシル基のモル置換
ＤＳａｃ＝アセチル基の置換度
ＤＳＰｈ：フタリル基の置換度。
【００７０】
以下の表２の結果は、実施例１〜８のセルロースエーテルアセテートフタレートは、水に可溶性であるが、比較例Ａ〜Ｆのものは、水に不溶または不十分に溶解することを例証する。さらに、実施例１〜８のセルロースエーテルアセテートフタレートは、いくつかの極性溶媒、例えばジクロロメタンとメタノールとの混合物に可溶性である。１０重量％の溶液でさえ、粘度は、比較例Ａのものと同様である。
【００７１】
ＨＰＭＣＡＰの水溶液の加温
２重量％のＨＰＭＣＡＰの水溶液を、上の段落「水溶解度」、定性的決定」に記載されるように調製した。その後、混合物は、それを４０℃で１時間、次いで５０℃で１時間、次いで６０℃で１時間、次いで７０℃で１時間、次いで８０℃で１時間保存することにより徐々に加温させた。温度上昇の溶液への影響を目視検査した。結果を以下の表３に列挙する。
【００７２】
実施例１〜８の水溶液のウォームアップのみを評価した。比較例は、水溶性が不十分であり、沈降物が形成されたために評価しなかった。
【００７３】
【表２】
2019529592.tif 000004
【００７４】
【表３】
2019529592.tif 000005
【００７５】
ゲル化
本発明のＨＰＭＣＡＰの水溶液は、高温、典型的には２５〜７０℃、より典型的には３０〜６０℃でゲル化する。本発明のＨＰＭＣＡＰの水溶液は、２重量％程度の低濃度でもゲル化する。低いエステル置換度にもかかわらず、セルロースエーテルアセテートフタレートがゲル化することは非常に驚くべきことである。ＨＰＭＣＡＰを調製するための出発物質として使用されるＨＰＭＣは、２重量％の濃度でゲル化しない。６５℃に加熱した後の水中のＭｅｔｈｏｃｅｌ  Ｅ３  ＬＶ  Ｐｒｅｍｉｕｍセルロースエーテルの２重量％溶液は、ゲルを形成せず、固まりになるだけである。
【００７６】
上にさらに記載するように、実施例１、２、４、及び５のＨＰＭＣＡＰの水中の２重量％、５重量％、及び／または１０重量％の溶液の６５℃での貯蔵弾性率Ｇ´に従って、ゲル化温度及びゲル強度を測定するために、レオロジー測定を行った。結果を以下の表４に列挙する。
【００７７】
【表４】
2019529592.tif 000006
【００７８】
ＨＰＭＣＡＰの腸内特性
胃におけるＨＰＭＣＡＰの溶解度を試験するために、１重量％の濃度の粉末形態のＨＰＭＣＡＰを３７℃の温度で２時間０．１Ｎ  ＨＣｌ中で撹拌して胃液をシミュレートした。
【００７９】
腸または結腸におけるＨＰＭＣＡＰの溶解度を試験するために、１重量％の濃度の粉末形態のＨＰＭＣＡＰを３７℃の温度及び３．０、４．０、４．５、５．０、５．５、６．０、または６．８のｐＨをそれぞれ有するＭｃＩｌｖａｉｎｅの緩衝液（一リン酸二ナトリウム及びクエン酸を含有する）中で撹拌した。
【００８０】
結果を以下の表５に列挙する。
【００８１】
【表５】
2019529592.tif 000007
【００８２】
上記表５の結果は、本発明のセルロースエーテルアセテートフタレートが、水溶性であるだけでなく（上記の表２参照）、それらが、腸溶性も示し、すなわち、それらが、胃の酸性環境での溶解に対して耐性を示すが、腸または結腸に可溶性であることを例証する。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
ヒドロキシプロピルメチルセルロースアセテートフタレートであって、
フタリル基の置換度が、０．０２〜０．２５であり、フタリル基の中和度が、０．５以下であり、前記中和度＝［−Ｃ（Ｏ）−Ｃ６Ｈ４−ＣＯＯ￣］／［−Ｃ（Ｏ）−Ｃ６Ｈ４−ＣＯＯ￣＋−Ｃ（Ｏ）−Ｃ６Ｈ４−ＣＯＯＨ］であり、
アセチル基の置換度が、０．０７〜０．２５である、ヒドロキシプロピルメチルセルロースアセテートフタレート。
【請求項２】
２℃で少なくとも２．０重量パーセントの水への溶解度を有する、請求項１に記載のヒドロキシプロピルメチルセルロースアセテートフタレート。
【請求項３】
フタリル基の置換度が、０．０４〜０．１５である、請求項１または２に記載のヒドロキシプロピルメチルセルロースアセテートフタレート。
【請求項４】
前記ヒドロキシプロピルメチルセルロースアセテートフタレートの少なくとも８５重量％が、２℃で２．５重量部のヒドロキシプロピルメチルセルロースアセテートフタレートと９７．５重量部の水との混合物に可溶性である、請求項１〜３のいずれか一項に記載のヒドロキシプロピルメチルセルロースアセテートフタレート。
【請求項５】
水性液体中に溶解した、請求項１〜４のいずれか一項に記載の少なくとも１つのヒドロキシプロピルメチルセルロースアセテートフタレートを含む、液体組成物。
【請求項６】
１５℃未満の温度を有する、請求項５に記載の液体組成物。
【請求項７】
請求項１〜４のいずれか一項に記載の少なくとも１つのヒドロキシプロピルメチルセルロースアセテートフタレート及び有機希釈剤を含む、液体組成物。
【請求項８】
請求項５〜７のいずれか一項に記載の液体組成物を剤形と接触させるステップを含む、剤形をコーティングするための方法。
【請求項９】
請求項５〜７のいずれか一項に記載の液体組成物を浸漬ピンと接触させるステップを含む、カプセルシェルを製造するための方法。
【請求項１０】
前記コーティングが、請求項１〜４のいずれか一項に記載の少なくとも１つのヒドロキシプロピルメチルセルロースアセテートフタレートを含む、コーティングされた剤形。
【請求項１１】
請求項１〜４のいずれか一項に記載の少なくとも１つのヒドロキシプロピルメチルセルロースアセテートフタレートを含む、ポリマーカプセルシェル。
【請求項１２】
請求項１１に記載のカプセルシェルを含み、薬物もしくは栄養補助食品、またはそれらの組み合わせをさらに含む、カプセル。
【請求項１３】
請求項１〜４のいずれか一項に記載の少なくとも１つのヒドロキシプロピルメチルセルロースアセテートフタレート中の少なくとも１つの活性成分の固体分散体。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ヒドロキシプロピルメチルセルロース［３アセテートフタレートであって、
フタリル基の置換度が、０．０２〜０．２５であり、フタリル基の中和度が、０．５以下であり、前記中和度＝［−Ｃ（Ｏ）−Ｃ６Ｈ４−ＣＯＯ￣］／［−Ｃ（Ｏ）−Ｃ６Ｈ４−ＣＯＯ￣＋−Ｃ（Ｏ）−Ｃ６Ｈ４−ＣＯＯＨ］であり、
アセチル基の置換度が、０．０７〜０．２５である、ヒドロキシプロピルメチルセルロースアセテートフタレート。
【請求項２】
２℃で少なくとも２．０重量パーセントの水への溶解度を有する、請求項１に記載のヒドロキシプロピルメチルセルロースアセテートフタレート。
【請求項３】
フタリル基の置換度が、０．０４〜０．１５である、請求項１または２に記載のヒドロキシプロピルメチルセルロースアセテートフタレート。
【請求項４】
水性液体中に溶解した、請求項１〜３のいずれか一項に記載の少なくとも１つのヒドロキシプロピルメチルセルロースアセテートフタレートを含む、液体組成物。
【請求項５】
１５℃未満の温度を有する、請求項４に記載の液体組成物。
【請求項６】
請求項１〜３のいずれか一項に記載の少なくとも１つのヒドロキシプロピルメチルセルロースアセテートフタレート及び有機希釈剤を含む、液体組成物。
【請求項７】
前記コーティングが、請求項１〜３のいずれか一項記載の少なくとも１つのヒドロキシプロピルメチルセルロースアセテートフタレートを含む、コーティングされた剤形。
【請求項８】
請求項１〜３のいずれか一項に記載の少なくとも１つのヒドロキシプロピルメチルセルロースアセテートフタレートを含む、ポリマーカプセルシェル。
【請求項９】
請求項８に記載のカプセルシェルを含み、薬物もしくは栄養補助食品、またはそれらの組み合わせをさらに含む、カプセル。
【請求項１０】
請求項１〜３のいずれか一項に記載の少なくとも１つのヒドロキシプロピルメチルセルロースアセテートフタレート中の少なくとも１つの活性成分の固体分散体。
【国際調査報告】
2019529592.tif 000008
2019529592.tif 000009